(57)【特許請求の範囲】
【請求項１】
上面部と側面部とから構成され、平面視で四方に突出する先端部を有し、下方が開口した逆容器形状のベースを装置の下部に設置すると共に、該ベースの各先端部の内部にはベースの下端よりも所定寸法だけ下方へ突出した状態で床面上を移動する複数の移動手段が設けられ、ベースの下端と床面との間には前記所定寸法に相当する隙間が形成される装置のベース構造において、
前記ベースの各先端部の側面部における各移動手段を囲むような前記各移動手段に近い位置のみに、床面に達する長さ或いは床面にほぼ達する長さを有し且つ弾性変形自在な材質で形成された配線除去体を、その上部を固定することで取付けたことを特徴とする装置のベース構造。
【請求項２】
配線除去体がゴム製であることを特徴とする請求項１記載の装置のベース構造。
【請求項３】
配線除去体が短冊板形状で、複数の配線除去体が各移動手段を囲むように、ベースの側面部に沿って取付けられていることを特徴とする請求項１又は請求項２記載の装置のベース構造。
【請求項４】
配線除去体が丸棒形状で、複数の配線除去体が各移動手段を囲むように、ベースの側面部に沿って取付けられていることを特徴とする請求項１又は請求項２記載の装置のベース構造。
【請求項５】
配線除去体が幅広板形状で、１枚の配線除去体が各移動手段を囲むように、ベースの側面部に沿って湾曲した状態で取付けられていることを特徴とする請求項１又は請求項２記載の装置のベース構造。
【請求項６】
ベースの側面部の下端面に配線除去体の上部に相応する形状の凹部が形成され、該凹部内に配線除去体の上部が挿入された状態で取付けられていることを特徴とする請求項１〜５のいずれか１項に記載の装置のベース構造。
【発明の詳細な説明】
【技術分野】
【０００１】
本発明は、装置の下部に設置され、内部にキャスター等の移動手段を備えたベース構造に関するものである。
【背景技術】
【０００２】
従来より、装置の下部に位置するベースは、本来的に装置を立てた状態で保持する役目と共に、装置全体を床面に対して移動させる役目も有する。そのため、ベースには、複数のキャスターやローラー等の移動手段が設けられている。以下、移動手段をキャスターとして説明する。
【０００３】
ベースは上面部と側面部とから構成され下方が開口した逆容器形状をしており、キャスターはベースの内部の例えば四隅などに隠された状態で設置されている。但し、キャスターはベースにより完全に隠されるのではなく、ベースの下端よりも所定寸法（例えば３ｃｍ）だけ下方へ突出している。従って、ベースの下端と床面との間には前記所定寸法に相当する隙間が開あいている。
【０００４】
このように隙間があいているのは、床面の突起や傾斜に対応するもので、ベースを移動する際に、ベースの下端が床面にある僅かな突起や傾斜と干渉しないようにするためのものである（例えば、特許文献１参照）。
【０００５】
【特許文献１】米国特許第６１０５９０９号明細書
【発明の開示】
【発明が解決しようとする課題】
【０００６】
しかしながら、このような従来の技術にあっては、ベースの下端と床面との間に隙間があいているため、ベースの移動中におけるベースの下端と床面の突起等との干渉は回避できるものの、床面上に存在する配線（装置自体の配線又は周辺装置の配線）が隙間からベースの内部に入り込み、キャスターが配線を踏むおそれがある。配線がキャスターにより踏まれると配線が傷つけられるため、ベースを移動する際は、常に手や足で配線を排除しながらベースを移動させる必要があり、移動操作が面倒であった。
【０００７】
本発明は、このような従来の技術に着目してなされたものであり、床面上の配線を自動的に除去しながら移動することができる装置のベース構造を提供するものである。
【課題を解決するための手段】
【０００８】
請求項１記載の発明は、上面部と側面部とから構成され、平面視で四方に突出する先端部を有し、下方が開口した逆容器形状のベースを装置の下部に設置すると共に、該ベースの各先端部の内部にはベースの下端よりも所定寸法だけ下方へ突出した状態で床面上を移動する複数の移動手段が設けられ、ベースの下端と床面との間には前記所定寸法に相当する隙間が形成される装置のベース構造において、前記ベースの各先端部の側面部における各移動手段を囲むような前記各移動手段に近い位置のみに、床面に達する長さ或いは床面にほぼ達する長さを有し且つ弾性変形自在な材質で形成された配線除去体を、その上部を固定することで取付けたことを特徴とする。
【０００９】
請求項２記載の発明は、配線除去体がゴム製である。
【００１０】
請求項３記載の発明は、配線除去体が短冊板形状で、複数の配線除去体が各移動手段を囲むように、ベースの側面部に沿って取付けられていることを特徴とする。
【００１１】
請求項４記載の発明は、配線除去体が丸棒形状で、複数の配線除去体が各移動手段を囲むように、ベースの側面部に沿って取付けられていることを特徴とする。
【００１２】
請求項５記載の発明は、配線除去体が幅広板形状で、１枚の配線除去体が各移動手段を囲むように、ベースの側面部に沿って湾曲した状態で取付けられていることを特徴とする。
【００１３】
請求項６記載の発明は、ベースの側面部の下端面に配線除去体の上部に相応する形状の凹部が形成され、該凹部内に配線除去体の上部が挿入された状態で取付けられていることを特徴とする。
【発明の効果】
【００１４】
請求項１記載の発明によれば、ベースの側面部における各移動手段に近い位置に配線除去体を取付けたため、ベースを移動させた際、ベースが床面上の配線の位置まで来ると、配線除去体が配線に当接し、配線除去体が配線をそのまま押して、配線はベースと一緒に移動する。従って、配線が隙間からベースの内部に入り込んで、キャスターにより踏まれることはない。また、ベースを移動する際に、配線除去体が床面上の突起等に当たっても、配線除去体は相手が固定物の場合は弾性変形するため、突起等との強干渉は回避され、隙間を形成したことによる本来の機能は維持される。
【００１５】
請求項２記載の発明によれば、配線除去体がゴム製であるため、成形が容易で安価である。
【００１６】
請求項３記載の発明によれば、短冊板形状をした複数の配線除去体を、ベースの側面部に沿って、移動手段を囲むように取付けた構造のため、ベースをどの方向に移動させようとも、キャスターに対して踏まれる方向に来る配線を確実に配線除去体に当接させることができる。
【００１７】
請求項４記載の発明によれば、配線除去体が丸棒形状のため、成形が容易であると共に、ベースの側面部への取付けも容易である。
【００１８】
請求項５記載の発明によれば、幅広板形状をした１枚の配線除去体が各移動手段を囲むように取付けられているため、各移動手段に対しては配線除去体の取付作業がそれぞれ一回ずつで済み、配線除去体の取付けが容易である。また、一枚の配線除去体がベースの側面部に沿って湾曲するため、配線除去体の剛性が高まり、配線除去体により配線を押す力が向上する。
【００１９】
請求項６記載の発明によれば、配線除去体をベースの側面部の下端面に形成された凹部内に挿入した状態で取付けるため、配線除去体がベースの下端からスカート状に突出した状態となり、ベースとの一体感が出て、外観が向上する。
【発明を実施するための最良の形態】
【００２０】
以下、本発明の好適な実施形態を説明する。図１〜図５は、本発明の第１実施形態を示す図である。図１は、手術用の顕微鏡１を支持する医療用のスタンド装置２である。スタンド装置２の下部にはベース３が設けられている。ベース３によりスタンド装置２は床面４上に立った状態となっている。ベース３の周囲の床面４上には、周辺装置の配線５が存在している。また、ベース３の周辺には、スタンド装置２自身からの配線６も存在している。
【００２１】
ベース３は平面視で四方に突出した概略十字形をしており、下向きに開口した逆容器形状をしている。具体的には、上面部７と、その周縁から下方へ向かう側面部８とから構成されたアルミ合金製の鋳物であり、全体としてある程度の重量を有している。スタンド装置２の本体は、ベース３の中央部に固定されている。
【００２２】
ベース３の四方に突出したそれぞれの先端部には、上面部７の裏面に、「移動手段」としてのキャスター９が取付けられている。キャスター９は、ローラー部１０と、それを回転自在に保持する保持部１１とから形成されている。
【００２３】
ローラー部１０は、ベース３の側面部８の下端よりも所定寸法（約３ｍｍ）だけ下方に突出する。従って、側面部８の下端と床面４との間には、前記所定寸法に相当する上下寸法の隙間Ｓが形成される。
【００２４】
従って、ベース３を床面４上で移動させる際、床面４上に多少の突起１４や傾斜があっても、前記隙間Ｓより小さい上下寸法であれば、それらとの強干渉を回避することができる。
【００２５】
そして、キャスター９がそれぞれ取付けられたベース３の先端部には、その側面部８の下端面から下向きに配線除去体１２が取付けられている。配線除去体１２は短冊板形状で、キャスター９に近い位置で、キャスター９を囲むように、各キャスター９に対して５枚ずつ、間隔をあけて取付けられている。
【００２６】
配線除去体１２はある程度の硬さを有する弾性ゴム製で、常時は一定の形状を保持しているが、強い力が加わると弾性変形により曲がるようになっている。配線除去体１２がゴム製であるため、成形が容易で安価である。
【００２７】
側面部８の下端面には、配線除去体１２の上部に相当する形状を有する凹部１３が予め形成されている。この凹部１３内に配線除去体１２の上部が接着剤を介して挿入される。配線除去体１２の上部は凹部１３内に接着剤により固定され、側面部８の下端から下方へ突出した状態となる。配線除去体１２がベース３の下端からスカート状に突出した状態となり、ベース３との一体感が出て、外観が良い。
【００２８】
側面部８の下端から下方へ突出した配線除去体１２は、下端がちょうど床面４に接する長さとなる。
【００２９】
次に作用を説明する。スタンド装置２を例えば図１中の矢印Ａ方向へ移動させようとする場合、その方向の床面４上に配線５が存在するため、従来では、移動させる前に必ずその配線５を遠くに排除しておく必要があった。
【００３０】
しかし、この実施形態では、ベース３の下端に配線除去体１２が取付けられているため、配線５を排除しておくことを忘れても大丈夫である。すなわち、ベース３を配線５が存在する方向Ａに移動させても、ベース３が床面４上の配線５の位置まで来ると、図４に示すように、配線除去体１２が配線５に当接し、配線除去体１２が配線５をそのまま押すため、配線５はベース３と一緒に移動することになる。従って、配線５が隙間Ｓからベース３の内部に入り込んで、キャスター９により踏まれることはない。
【００３１】
特に、配線除去体１２がキャスター９を囲むように取付けられているため、ベース３をどの方向に移動させようとも、キャスター９に対して踏まれる方向に来る配線５を確実に配線除去体１２に当てることができる。
【００３２】
キャスター９は、周辺機器の配線５だけでなく、スタンド装置２自身の配線６も踏むおそれもあるが、自身の配線６の場合も同様で、配線除去体１２が当接して押すため、キャスター９により踏まれるおそれはない。
【００３３】
また、ベース３を移動させる際に、配線除去体１２が、配線５でなく、床面４の突起１４に当たったような場合は、相手が固定物であり反力が大きいため、図５に示すように、配線除去体１２は弾性変形して、隙間Ｓを通過する。このように、ベース３と突起１４等との強干渉は回避され、隙間Ｓを形成したことによる本来の機能はそのまま維持される。
【００３４】
図６及び図７は、本発明の第２実施形態を示す図である。尚、以下の各実施形態において、先の実施形態と共通する部分には同一の符号を付し、重複する説明は省略する。
【００３５】
この実施形態では、ベース１５が概略四角形状で、上面部１６と側面部１７とから形成されている。ベース１５の四つの隅部１５ａは面取りされた状態で湾曲しており、その隅部１５ａに対応する上面部１７の裏面には、それぞれキャスター９が取付けらている。
【００３６】
隅部１５ａにおける側面部１７の下端面には、丸棒状の配線除去体１８が取付けられている。配線除去体１８はある程度の硬さを有する弾性ビニール製である。配線除去体１８は下端がちょうど床面に接する長さである。配線除去体１８の取付け方は先の実施形態と同様であるが、形状が丸棒形状のため、先の実施形態よりも取付作業が容易である。また、丸棒形状のため成形も容易である。
【００３７】
この実施形態の場合も、ベース１５をどの方向に移動させようとも、配線除去体１８に配線を当てることができ、そのまま配線を配線除去体１８で押して一緒に移動することができる。
【００３８】
図８及び図９は、本発明の第３実施形態を示す図である。この実施形態では、ベース１９が円形で、上面部２０と側面部２１とから形成されている。ベース１９の直交する四方位置には、上面部２０の裏面には、それぞれキャスター９が取付けらている。
【００３９】
そして、ベース１９の側面部２１には、それぞれキャスター９に対応する位置に、幅広板形状をした配線除去体２２がキャスター９に対して１枚ずつ取付けらている。配線除去体２２はゴム板製で、側面部２１に沿って湾曲した状態で、キャスター９を囲んでいる。配線除去体２２は下端がちょうど床面に接する長さである。
【００４０】
配線除去体２２の取付け方は先の実施形態と同様であるが、キャスター９に対して１枚ずつのため、各キャスター９に対しては配線除去体２２の取付作業がそれぞれ一回ずつで済み、配線除去体の取付けが容易である。
【００４１】
また、一枚の配線除去体２２がベース１９の側面部２１に沿って湾曲するため、配線除去体２２の剛性が高まり、配線除去体２２により配線を押す力が向上する。そのため、配線を配線除去体２２で確実に押して一緒に移動することができる。但し、配線除去体２２が弾性変形自在であることは変わりないため、配線除去体２２が床面の突起等に当たった場合には弾性変形して、突起等の通過を許容する。
【００４２】
以上の実施形態では、配線除去体１２、１８、２２の長さを、ちょうど床面４に接する長さにしたが、それよりも多少長くても良いし、配線５、６を押せる長さであれば、それよりも多少短くても良い。
【００４３】
また変形例として、配線除去体１２、１８、２２は、床面４に近づくに連れてベース３の外側に向かって延伸するような形状であっても良い。ベース３の移動時に、このような配線除去体が配線５に当接した場合、配線５には更にすくい上げる力が加わる。従って、配線５と床面４との摩擦が低減され、配線５の移動が容易になる。
【００４４】
また、配線除去体１２、１８、２２を形成する弾性変形自在な材質として、ゴム、ビニールを例にしたが、金属板、樹脂板、コイルスプリングその他のものであっても良い。更に、移動手段もキャスターに限定されない。
【図面の簡単な説明】
【００４５】
【図１】本発明の第１実施形態に係るベースを有する医療用スタンド装置の全体斜視図。
【図２】第１実施形態に係るベースを示す底面図。
【図３】第１実施形態に係る配線除去体の取付状態を示す斜視図。
【図４】第１実施形態に係る配線除去体が配線と当接して一緒に移動している状態を示す断面図。
【図５】第１実施形態に係る配線除去体が突起と干渉して弾性変形している状態を示す断面図。
【図６】第２実施形態に係るベースを示す底面図。
【図７】第２実施形態に係る配線除去体を示す斜視図。
【図８】第３実施形態に係るベースを示す底面図。
【図９】第３実施形態に係る配線除去体を示す斜視図。
【符号の説明】
【００４６】
１  顕微鏡
２  スタンド装置
３  ベース
４  床面
５、６  配線
７  上面部
８  側面部
９  キャスター（移動手段）
１０  ローラー部
１１  保持部
１２、１８、２２  配線除去体
１３  凹部
１４  突起
Ａ  移動方向
Ｓ  隙間
【図１】
0005400287.tif 000002
【図２】
0005400287.tif 000003
【図３】
0005400287.tif 000004
【図４】
0005400287.tif 000005
【図５】
0005400287.tif 000006
【図６】
0005400287.tif 000007
【図７】
0005400287.tif 000008
【図８】
0005400287.tif 000009
【図９】
0005400287.tif 000010